(57)【要約】      （修正有） 【課題】耐久性及び耐水性に優れ、さらに、保護及び通気性を有する３層構造の生地を提供する。【解決手段】合成ゴム層２、及び、合成ゴム層２の両面に圧着された被覆層４からなる３層構造の生地１であって、合成ゴム層２には複数のピンホール３が形成されており、被覆層４は繊維で形成されている。【選択図】図１
0003227929.tif 000002
【実用新案登録請求の範囲】
【請求項１】
合成ゴム層、及び、前記合成ゴム層の両面に圧着された被覆層からなる３層構造の生地であって、
前記合成ゴム層には複数のピンホールが形成されており、
前記被覆層は繊維で形成されていることを特徴とする３層構造の生地。
【請求項２】
前記合成ゴム層は、クロロプレンゴム、ＥＶＡ、ポリウレタン、シリコン、及び、合成ゴムのいずれかで形成されていることを特徴とする請求項１に記載の３層構造の生地。
【請求項３】
前記被覆層は、ポリエステル又はナイロンである化学繊維、又は、綿である天然繊維で形成されていることを特徴とする請求項１又は２に記載の３層構造の生地。
【請求項４】
請求項１〜３のいずれか１項に記載の３層構造の生地で形成された本体部、及び、前記本体部の左右に設けられた２つの耳掛け部からなることを特徴とするマスク。
【考案の詳細な説明】
【技術分野】
【０００１】
本考案は、耐久性に優れ、保護及び通気性を有する３層構造の生地、及び、３層構造の生地で形成されたマスクに関する。
【背景技術】
【０００２】
消費者の様々なニーズを満たすために、様々な機能性生地が流通しており、異なる性質の複数の層を組み合わせた生地が多数存在している。例えば、異なる材質の３層の生地が積層された汗冷え防止用吸湿発熱生地（特許文献１）、異なる材質の３層の生地が積層された伸縮性ボンディング生地（特許文献２）、異なる材質の３層の生地が積層されたウェットスーツ素材（特許文献３）、異なる材質の２層のシートが積層された複合繊維シート（特許文献４）などが存在している。
【０００３】
これらの生地は、その機能に応じて様々な用途で使用されており、衣服（特許文献１）、ウェストバンド（特許文献２）、ウェットスーツ（特許文献３）、マスク（特許文献４）等として使用されている。引用文献４に記載の複合繊維シートは、優れた水分蒸発性を有していることから、着用時の蒸れを解消することを目的としてマスクに用いられている。
【先行技術文献】
【特許文献】
【０００４】
【特許文献１】実用新案登録第３２２５１７４号公報
【特許文献２】実用新案登録第３２２５６４０号公報
【特許文献３】特開２０１５−１８８７４５号公報
【特許文献４】特開２０１８−１４９７９３号公報
【考案の概要】
【考案が解決しようとする課題】
【０００５】
機能性生地は用途に応じて様々な素材を組み合わせて、所望の機能を満たすように構成されている。本考案は、通気性を有し、さらに、耐久性及び耐水性に優れ、保護性も有する３層構造の生地を提供することを目的とし、前記３層構造の生地の用途の１つとして、３層構造の生地で形成されたマスクを提供することを目的とする。
【課題を解決するための手段】
【０００６】
本考案の３層構造の生地は、合成ゴム層、及び、前記合成ゴム層の両面に圧着された被覆層からなる３層構造の生地であって、前記合成ゴム層には複数のピンホールが形成されており、前記被覆層は繊維で形成されていることを特徴とする。
【０００７】
前記合成ゴム層は、クロロプレンゴム、ＥＶＡ、ポリウレタン、シリコン、及び、合成ゴムのいずれかで形成されている。
【０００８】
前記被覆層は、ポリエステル又はナイロンである化学繊維、又は、綿である天然繊維で形成されている。
【０００９】
本考案のマスクは、前記３層構造の生地で形成された本体部、及び、前記本体部の左右に設けられた２つの耳掛け部からなることを特徴とする。
【考案の効果】
【００１０】
本考案の３層構造の生地は、合成ゴム層、及び、前記合成ゴム層の両面に圧着された被覆層からなる３層構造の生地であって、前記合成ゴム層には複数のピンホールが形成されており、前記被覆層は繊維で形成されていることにより、耐久性及び耐水性に優れ、さらに、保護及び通気性を有する生地が実現でき、様々な用途で使用することができる。
【００１１】
本考案のマスクは、前記３層構造の生地で形成された本体部、及び、前記本体部の左右に設けられた２つの耳掛け部からなることにより、耐久性及び耐水性に優れ、さらに、保護及び通気性を有するマスクが実現できる。
【図面の簡単な説明】
【００１２】
【図１】本考案の３層構造の生地の斜視図である。
【図２】３層構造の生地を、３層に分離した状態の斜視図である。
【図３】本考案のマスクの斜視図である。
【図４】マスクの本体部の正面図である。
【考案を実施するための形態】
【００１３】
本考案の３層構造の生地１について、図１〜３を用いて以下に詳細に説明する。本考案の３層構造の生地１は、図１に示すように、１層の合成ゴム層２及び２層の被覆層４から構成されており、合成ゴム層２の上下にそれぞれ被覆層４が圧着されて形成されている。
【００１４】
前記合成ゴム層２は、クロロプレンゴム、ＥＶＡ、ポリウレタン、シリコン、又は、合成ゴムのいずれかによって形成されている。厚みは約２ｍｍとしているが、特に限定するものではなく、用途に応じて変更可能である。そして、前記合成ゴム層２には、図２に示すように、通気性を確保するために複数のピンホール３が全面に設けられており、ピンホール３の径は約３ｍｍとしているが、特に限定するものではなく適宜変更可能である。また、ピンホール３の間隔及び配置形態についても特に限定するものではない。図１において、本考案の３層構造の生地１の構造を分かりやすくするために、ピンホール３を細線で記載しているが、実際の３層構造の生地１は、被覆層４によってピンホール３は覆われており、ピンホール３は外部から見ることはできない。
【００１５】
前記被覆層４は繊維で形成されており、化学繊維であるポリエステル又はナイロン、又は、天然繊維である綿を含有した繊維で形成されている。図２に示すように、前記ピンホール３が形成された前記合成ゴム層２の両面に前記被覆層４を配置して、その後、圧着することによって、図１に示すような前記３層構造の生地１を形成することができる。
【００１６】
前記３層構造の生地１は、耐久性及び耐水性に優れ、さらに、保護及び通気性を有しており、様々な用途で使用することが可能であり、例えば、マスク、人体保護用衣類、介護素材、小物類、機器保護材、医療具、貴重品保護用、水難救助、水中作業、探査作業、衣服、接合用テープ、スキューバダイビング、マリンスポーツ、ウェットスーツ等、様々な用途で使用することができる。
【００１７】
次に、本考案のマスク１０について説明する。本考案のマスク１０は、図３に示すように、本体部１１、及び、前記本体部１１の左右に設けられた２つの耳掛け部１２からなる立体型のマスクである。前記本体部１１は、前記３層構造の生地１で立体的に形成されており、中央の上部が上方に突出した形状を有しており、鼻を覆うことができ、下部は顎に沿うような形状を有している。
【００１８】
前記耳掛け部１２は、ゴムひもなどで形成されており、前記本体部１１の左右に縫製されて取り付けられている。前記耳掛け部１２は、筒状のアジャスター１３を設けることによって、図３に示すように、耳に掛ける部分がリング状に形成されている。使用者が前記耳掛け部１２を耳に掛け易くするために、前記アジャスター１３を前記耳掛け部１２に沿って移動させて、リング状の部分の大きさを変更することができる。これによって、使用者は耳が痛くなることを防止することができる。
【００１９】
前記本体部１１は、３層構造の生地１を用意し、打ち抜きなどによって、図４に示すような、左右対称な形に切断し、切断された３層構造の生地１は図４に示すように３カ所の切り欠きが存在しており、切り欠き部分を互いに重ね合わせてロック式で縫製することにより、立体形状の本体部１１を形成する。前記本体部１１は合成ゴム層２のピンホール３は被覆層４によって覆われており、通常は見えない状態となっている。そのため、マスク１０の状態では、ピンホール３は見ることができない。
【００２０】
本考案のマスク１０は、合成ゴム層２及び２つの被覆層４からなる３層構造の生地１を用いて形成していることによって、耐久性及び耐水性に優れ、繰り返し洗って使用するとができ、洗ってもクタクタにならず、皺にもならないという効果を奏する。
【００２１】
さらに、本考案のマスク１０は、前記３層構造の生地１の合成ゴム層２にピンホール３が形成されていることによって優れた通気性を有し、立体形状を有することにより、口元に空間を形成することで発声し易くなり、息がこもらず熱を帯びないので、暑い季節でも冷感素材を用いた従来のマスクよりも快適に過ごすことができ、前記被覆層４によって飛沫を防ぐことができるという効果を奏する。
【符号の説明】
【００２２】
１    ３層構造の生地
２    合成ゴム層
３    ピンホール
４    被覆層
１０  マスク
１１  本体部
１２  耳掛け部
１３  アジャスター
【図１】
0003227929.tif 000003
【図２】
0003227929.tif 000004
【図３】
0003227929.tif 000005
【図４】
0003227929.tif 000006